(57)【要約】  この発明に係るエレベータかごの整風装置は、第２の扉部（５ｂ）に設けられた第１の係止部材（７）は、第２の扉部（５ｂ）が折り畳められて相対する第１の扉部（５ａ）の第１の被係止部（８ａ）に支軸（９）を中心に回動して係止するので、保守、点検時に作業者が扉をわざわざ取り外し、また取り付けるといった手間が不要となり、また扉を置くスペースも別途確保する必要がない。
2015118637.tif 000002
【特許請求の範囲】
【請求項１】
かごの上側及び下側の少なくとも一方に設けられかごの走行時に発生する空気抵抗を低減するとともに、保守、点検時に内部に出入するための出入口を有する整風カバーと、
前記出入口の前面を覆った扉と、を備え、
前記扉は、連結部材を介して連結され、折り畳可能な第１の扉部及び第２の扉部と、
前記第１の扉部の周縁部に設けられた第１の被係止部と、
前記第２の扉部の周縁部に設けられ、前記第２の扉部が折り畳められて相対する前記第１の扉部の前記第１の被係止部に支軸を中心に回動して係止する第１の係止部材と、を有しているエレベータかごの整風装置。
【請求項２】
さらに、前記第２の扉部の周縁部に設けられた第４の被係止部と、
前記第１の扉部の周縁部に設けられ、前記第１の扉部が折り畳められて相対する前記第２の扉部の前記第４の被係止部に支軸を中心に回動して係止する第２の係止部材と、を備えている請求項１に記載のエレベータかごの整風装置。
【請求項３】
前記第２の扉部の周縁部に、前記第２の扉部が折り畳められる前において前記第１の係止部材が係止する第２の被係止部が設けられ、  
前記第１の係止部材は、前記支軸が係止した長穴と、前記第１の被係止部に係止する切り欠き部とがそれぞれ形成されており、
前記第１の係止部材は、前記支軸を中心に回動する際に前記長穴に沿って移動して前記第２の被係止部と離間し、前記第２の被係止部から離れて回動する請求項１に記載のエレベータかごの整風装置。
【請求項４】
前記第１の扉部の周縁部に、前記第１の扉部が折り畳められる前において前記第２の係止部材が係止する第３の被係止部が設けられ、  
前記第２の係止部材は、前記支軸が係止した長穴と、前記第４の被係止部に係止する切り欠き部とがそれぞれ形成されており、
前記第２の係止部材は、前記支軸を中心に回動する際に前記長穴に沿って移動して前記第３の被係止部と離間し、前記第１の被係止部から離れて回動する請求項２に記載のエレベータかごの整風装置。
【請求項５】
前記切り欠き部は、トランク状であり、前記第１の係止部材は、前記第１の被係止部に係止したときには、前記切り欠き部の最奥部で前記第１の被係止部に係止している請求項３に記載のエレベータかごの整風装置。
【請求項６】
前記切り欠き部は、トランク状であり、前記第２の係止部材は、前記第４の被係止部に係止したときには、前記切り欠き部の最奥部で前記第４の被係止部に係止している請求項４に記載のエレベータかごの整風装置。
【請求項７】
前記連結部材は、蝶番である請求項１〜６の何れか１項に記載のエレベータかごの整風装置。
【発明の詳細な説明】
【技術分野】
【０００１】
この発明は、かごに設けられかごの走行時に発生する空気抵抗を低減するとともに、保守、点検時に作業者が内部に出入するための出入口を有する整風カバーを備えたエレベータかごの整風装置に関するものである。
【背景技術】
【０００２】
従来、フレーム部と、扉を有するパネル部と、三角パネルとを備え、エレベータにおける走行時の空気抵抗を低減するエレベータかごの整風装置が知られている（例えば、特許文献１参照）。
この整風装置では、保守点検時において、扉を取り外し、整風装置内に作業員が乗り込み、エレベータの保守、点検を行っている。
【先行技術文献】
【特許文献】
【０００３】
【特許文献１】特開２００７−１４１７８号公報
【発明の概要】
【発明が解決しようとする課題】
【０００４】
しかしながら、上記構成のエレベータかごの整風装置では、扉を取り外すのに手間がかかり、また取り外した扉を置くスペースを確保しなければならす、さらには保守、点検後に、扉を元の状態に取り付けるのにも手間がかかるという問題点があった。【０００５】
この発明は、かかる問題点を解決することを課題とするものであって、保守、点検時に作業者が扉をわざわざ取り外し、また取り付けるといった手間が不要となり、また扉を置くスペースも別途確保する必要のないエレベータかごの整風装置を得ることを目的とする。
【課題を解決するための手段】
【０００６】
この発明に係るエレベータかごの整風装置は、
かごの上側及び下側の少なくとも一方に設けられかごの走行時に発生する空気抵抗を低減するとともに、保守、点検時に内部に出入するための出入口を有する整風カバーと、
前記出入口の前面を覆った扉と、を備え、
前記扉は、連結部材を介して連結され、折り畳可能な第１の扉部及び第２の扉部と、
前記第１の扉部の周縁部に設けられた第１の被係止部と、
前記第２の扉部の周縁部に設けられ、前記第２の扉部が折り畳められて相対する前記第１の扉部の前記第１の被係止部に支軸を中心に回動して係止する第１の係止部材と、を有している。
【発明の効果】
【０００７】
この発明に係るエレベータかごの整風装置によれば、第２の扉部に設けられた第１の係止部材は、前記第２の扉部が折り畳められて相対する第１の扉部の第１の被係止部に支軸を中心に回動して係止するので、保守、点検時に作業者が扉をわざわざ取り外し、また取り付けるといった手間が不要となり、また扉を置くスペースも別途確保する必要のないという効果がある。
【図面の簡単な説明】
【０００８】
【図１】この発明の実施の形態１のエレベータかごの整風装置の概略を示す斜視図である。
【図２Ａ】図１のＡの部位を示す正面図である。
【図２Ｂ】図２Ａの右側面図である。
【図２Ｃ】図１の扉の開放状態を示す側面図である。
【図３】図２Ｃの矢印Ｂから扉を視たときの図である。
【図４】図２Ｂの係止部材を示す正面図である。
【図５Ａ】この発明の実施の形態２のエレベータかごの整風装置の扉の開放時の一態様を示す要部側面図である。
【図５Ｂ】図５Ａの扉の別の態様を示す要部側面図である。
【図５Ｃ】図５Ａの扉の別の態様を示す要部側面図である。
【図５Ｄ】図５Ａの扉の別の態様を示す要部側面図である。
【図５Ｅ】図５Ａの扉の別の態様を示す要部側面図である。
【図５Ｆ】図５Ａの扉の別の態様を示す要部側面図である。
【図５Ｇ】図５Ａの扉の別の態様を示す要部側面図である。
【図５Ｈ】図５Ａの扉の別の態様を示す要部側面図である。
【図５Ｉ】図５Ａの扉の別の態様を示す要部側面図である。
【図６】図５Ａの係止部材を示す正面図である。
【図７Ａ】この発明の実施の形態３のエレベータかごの整風装置の扉が閉じた時を示す側面図である。
【図７Ｂ】図７Ａの扉の開放状態を示側面図である。
【発明を実施するための形態】
【０００９】
以下、この発明の各実施の形態について図に基づいて説明するが、各図において、同一、または相当部材、部位については、同一符号を付して説明する。
【００１０】
実施の形態１．
図１は、この発明の実施の形態１のエレベータかごの整風装置の概略を示す斜視図、図２Ａは、図１のＡの部位を示す正面図、図２Ｂは、図２Ａの右側面図、図２Ｃは、扉５の使用態様を示す側面図、図３は図２Ｃの矢印Ｂから扉５を視たときの図である。
このエレベータかごの整風装置では、  エレベータかご１の上側及び下側に、走行時に発生する空気抵抗を低減する第１の整風カバー２及び第２の整風カバー３が設けられている。第１の整風カバー２には、点検時に整風カバー２の内部を作業者が出入する出入口４の前面を覆った扉５が設けられている。
この扉５は、連結部材である蝶番６を介して折り畳まれる第１の扉部５ａ及び第２の扉部５ｂとから構成されている。第２の扉部５ｂの両側面の下側には、支軸９を中心に回動する第１の係止部材７がそれぞれ設けられている。第１の扉部５ａの両側端面には、第１の係止部材７と係止するための被係止部である第１の被係止用ねじ８ａがねじ止めされている。
第２の扉部５ｂの両側端面には、第２の扉部５ｂを開放しないときに第１の係止部材７と係止するため被係止部である第２の被係止用ねじ８ｂがねじ止めされている。
矩形状の第１の係止部材７は、一端部に支軸９が挿通した穴７ａが形成され、他端部に短辺部と平行に延びた切り欠き部７ｂが形成されている。
なお、図１の符号１１はかご枠、１２はローラガイド、１３はワイヤロープである。
【００１１】
次に、上記構成のエレベータの扉５を開く手順について説明する。
まず、第２の扉部５ｂを周縁部で第１の整風カバー２に固定したボルト１０を取り外す。その後、作業者が第１の整風カバー２内に一時的に出入りするため、第２の扉部５ｂの全開を必要としないときには、第２の被係止用ねじ８ｂを緩めて、第１の係止部材７の切り欠き部７ｂとの係止を解除した後、第２の扉部５ｂを蝶番６を介して回動して出入口４を開放する。
【００１２】
また、出入口４を開放した状態を保持するには、第２の被係止用ねじ８ｂを第２の扉部５ａｂから取り外した後、第２の扉部５ｂを第２の第１の扉部５ａと相対する位置まで回動する。また、併せて第１の係止部材７を支軸９を中心に回動して切り欠き部７ｂを第１の被係止用ねじ８ａに係止する。
【００１３】
一方、扉５を閉じるには、上記扉５を開く手順と反対の手順で行えばよい。
即ち、支軸９を中心に第１の係止部材７を扉５の開放と反対方向に回動し、引き続き第２の扉部５ｂを蝶番６を介して回動する。また、第２の扉部５ｂの回動途中に、第１の係止部材７を支軸９を中心に回動し、第１の係止部材７を吊下した状態にする。
最後に、第２の被係止用ねじ８ｂを用いて切り欠き部７ｂで第１の係止部材７を第２の扉部５ｂに係止する。
【００１４】
上記構成のエレベータかごの整風装置によれば、扉は、蝶番６を介して連結され、折り畳可能な第１の扉部５ａ及び第２の扉部５ｂと、第１の扉部５ａの両側面に設けられた第１の被係止用ねじ８ａと、第２の扉部５ｂの両側面に設けられ、第２の扉部５ｂが折り畳められて相対する第１の扉部５ａの第１の被係止用ねじ８ａに支軸９を中心に回動して係止する第１の係止部材７と、を有している。
従って、第２の扉部５ｂは、折り畳んだ状態を簡単に保持することができ、保守点検作業性が向上する。
また、扉５は、例えば作業者の出入りする際のみ開放し、第２の扉部５ｂを折り畳んだ状態を保持する必要がない場合もあり、このような場合には、第２の扉部５ｂ側のボルト１０及び第２の被係止用ねじ８ｂを第１の整風カバー２から取り外すことで対応すればよく、わざわざ第１の係止部材７を第１の被係止用ねじ８ａに係止する必要はない。
【００１５】
実施の形態２．
図５Ａ〜図５Ｉはこの発明の実施の形態２のエレベータかごの整風装置の扉５の要部を示す側面図、図６は図５Ａ〜図５Ｉの第１の係止部材７を示す正面図である。
この実施の形態では、第１の係止部材７の一端部に長穴７ｃが形成されており、他端部にクランク状の切り欠き部７ｄが形成されている。長穴７ｃの長さＬ１は、切り欠き部７ｄの端面からの長さＬ２よりも大きい。
この長穴７ｃには支軸９が挿入されており、第１の係止部材７は、長穴７ｃに沿って案内される。切り欠き部７ｄには第２の被係止用ねじ８ｂが挿入され、この被係止用ねじ８ｂにより、一対の第１の係止部材７は、第２の扉部５ｂのそれぞれの側面に止められる。
他の構成は、実施の形態１のエレベータかごの整風装置と同じである。
【００１６】
次に、上記構成のエレベータかごの整風装置の扉５を開く手順について説明する。
扉５が閉じた非使用時は、切り欠き部７ｄで第２の被係止用ねじ８ｂにより第１の係止部材７は、第２の扉部５ｂの側面に止められている。
まず、第１の整風カバー２に固定したボルト１０を取り外す。
その後、第２の扉部５ｂを第２の第１の扉部５ａに相対する位置まで回動する（図５Ａ）。
次に、第２の被係止用ねじ８ｂを緩めて、第１の係止部材７を垂直下方向に移動させる（図５Ｂ）。
引き続き、第１の係止部材７を、支軸９を中心にして反時計方向に回動させ、併せて斜め下方向に移動させる（図５Ｃ）。
次に、第１の係止部材７を、支軸９が長穴７ｃの左側内壁面に当接した状態で支軸９を中心にして時計方向に回動させる（図５Ｄ〜図５Ｆ）。回動動作の際には、第１の係止部材７は第２の被係止用ねじ８ｂから離れており、第２の被係止用ねじ８ｂに邪魔されることなく、回動することができる。
その後、長穴７ｃに案内される第１の係止部材７を斜め上方向に左側内壁面に当接するまで移動させ、この状態で支軸９を中心にして時計方向に回動させ、切り欠き部７ｄを第１の被係止用ねじ８ａに係止する（図５Ｇ〜図５Ｉ）。
この第１の係止部材７が第１の被係止用ねじ８ａに係止したときには、第１の被係止用ねじ８ａは、トランク状の切り欠き部７ｄの最奥部に位置している。
また、扉５を閉じるには、上記扉５を開く手順と反対の手順で行えばよい。
【００１７】
この実施の形態では、第２の扉部５ｂの両側面に、第２の扉部５ｂが折り畳められる前において第１の係止部材７が係止する第２の被係止用ねじ８ｂが設けられ、第１の係止部材７は、支軸９が係止した長穴７ｃと、第１の被係止用ねじ８ａに係止する切り欠き部７ｄとがそれぞれ形成されており、第１の係止部材７は、支軸９を中心に回動する際に長穴７ｃに沿って移動して第２の被係止用ねじ８ｂと離間し、第２の被係止用ねじ８ｂから離れて回動するようになっている。
従って、第２の扉部５ｂを折り畳む際に、第２の被係止用ねじ８ｂを第２の扉部５ｂから取り外す必要性はなく、扉５の開放作業性が実施の形態１と比較して向上する。
【００１８】
また、７の切り欠き部７ｄは、トランク状であり、第１の係止部材７が第１の被係止用ねじ８ａに係止したときには、第１の被係止用ねじ８ａは、切り欠き部７ｄの最奥部に位置しているので、第１の係止部材７は、第１の被係止用ねじ８ａにより確実に係止し、第２の扉部５ｂは、折り畳んだ状態がより確実に保持される。
【００１９】
実施の形態３．
図７Ａ及び図７Ｂはこの発明の実施の形態３のエレベータかごの整風装置の扉５の要部を示す側面図、図６は図５Ａ〜図５Ｉの第１の係止部材７を示す正面図である。
この実施の形態では、第１の扉部５ａの両側面部に第２の係止部材７Ａが設けられている。第１の扉部５ａの両側面部には、扉５が非使用時に第２の係止部材７Ａの切り欠き部７ｂが係止する被係止部である第３の被係止用ねじ８ｃが設けられている。
第２の扉部５ｂの両側面部には、第１の扉部５ａが蝶番６を介して回動し、第２の扉部５ｂと相対したときに支軸９を中心に回動した第２の係止部材７Ａの切り欠き部７ｂに係止する被係止部である第４の被係止用ねじ８ｄが設けられている。
なお、第２の扉部５ｂには、実施の形態１の第１の係止部材７、及び第２の係止用ねじ８ｂが設けられている。
【００２０】
この実施の形態では、実施の形態１と同様に第２の扉部５ｂを折り畳んで、出入口４の下側を開放することができるとともに、第１の扉部５ａを折り畳んで、出入口４の上側を開放することができ、実施の形態１と比較して保守点検作業性がより向上する。
【００２１】
なお、実施の形態２と同様に、第１の係止部材７に、支軸９が係止した長穴７ｃと、第１の被係止用ねじ８ａに係止する切り欠き部７ｄをそれぞれ形成し、同様に第２の係止部材７Ａに、支軸９が係止した長穴７ｃと、第４の被係止用ねじ８ｄが係止する切り欠き部７ｄを形成するようにしてもよい。
この場合には、第２の扉部５ｂを折り畳む際に、第２の被係止用ねじ８ｂを第２の扉部５ｂから取り外す必要性はなく、また第１の扉部５ａを折り畳む際に、第３の被係止用ねじ８ｃを第１の扉部５ａから取り外す必要性はない。
【００２２】
また、実施の形態１では、第２の扉部５ｂを回動して出入口４を開放したが、第１の扉部５ａを回動して出入口４を開放するようにしてもよい。
【００２３】
また、第１の係止部材７、第２の係止部材７Ａ、被係止用ねじ８ａ〜８ｄは、第１の扉部５ａ、第２の扉部５ｂの片側の側面だけに設けてもよいし、第１の扉部５ａの上端部、第２の扉部５ｂの下端部に設けるようにしてもよい。
また、連結部材として蝶番６を用いたが、勿論このものに限定されるものではなく、例えば第１の扉部５ａと第２の扉部５ｂとが屈折可能に接続されたものであればよい。
また、被係止部として、被係止用ねじ８ａ〜８ｄを用いたが、ねじに限定されないのは勿論である。
【符号の説明】
【００２４】
１  エレベータかご、２  第１の整風カバー、３  第２の整風カバー、  ４  出入口、５  扉、５ａ  第１の扉部、５ｂ  第２の扉部、６  蝶番（連結部材）、７  第１の係止部材、７Ａ  第２の係止部材、７ａ  穴、７ｂ，７ｄ  切り欠き部、７ｃ  長穴、８ａ  第１の被係止用ねじ（第１の被係止部）、８ｂ  第２の被係止用ねじ（第２の係止部）、８ｃ  第３の被係止用ねじ（第３の被係止部）、８ｄ  第４の被係止用ねじ（第４の被係止部）、９  支軸、１０  ボルト、１１  かご枠、１２  ローラガイド、１３  ワイヤロープ。
【図１】
2015118637.tif 000003
【図２Ａ】
2015118637.tif 000004
【図２Ｂ】
2015118637.tif 000005
【図２Ｃ】
2015118637.tif 000006
【図３】
2015118637.tif 000007
【図４】
2015118637.tif 000008
【図５Ａ】
2015118637.tif 000009
【図５Ｂ】
2015118637.tif 000010
【図５Ｃ】
2015118637.tif 000011
【図５Ｄ】
2015118637.tif 000012
【図５Ｅ】
2015118637.tif 000013
【図５Ｆ】
2015118637.tif 000014
【図５Ｇ】
2015118637.tif 000015
【図５Ｈ】
2015118637.tif 000016
【図５Ｉ】
2015118637.tif 000017
【図６】
2015118637.tif 000018
【図７Ａ】
2015118637.tif 000019
【図７Ｂ】
2015118637.tif 000020
【国際調査報告】
2015118637.tif 000021
2015118637.tif 000022
2015118637.tif 000023
2015118637.tif 000024